(57)【要約】【課題】額縁材を金属製枠材に軽い力で簡単に取り付け出来、且つ、取り付け状態においてがたつきの生じないサッシ枠材を提供する。【解決手段】金属製枠材は屋内側端部に係合溝と、基板から内周側に向けて突出する挿入突条とを有し、係合溝の屋内側壁は屋外側に突出する係合突部を有し、樹脂額縁材は屋外側端部に挿入溝を有し、挿入溝の屋外側壁は屋内側に突出する支持突部を有し、屋内側壁は係合突条を形成して屋内側面に回転防止突条と係止突部とを有し、回転防止突条は係合溝の屋内側壁の上端部に対向するものであり、係止突部は係合溝の係合突部に係合して樹脂額縁材の抜けを防止するものであり、係合突条の先端部が係合溝の屋外側壁に当接し、挿入突条の屋外側面が挿入溝の支持突部に当接し、且つ、挿入突条の先端部が挿入溝の溝底及び屋内側壁に当接している。【選択図】  図１
2006188894.tif 000002
【特許請求の範囲】
【請求項１】
金属製枠材と、金属製枠材の屋内側に配置する樹脂額縁材とを備え、
金属製枠材は、基板内周側面の屋内側端部に位置し且つ枠材の長手方向に延びる係合溝と、基板から内周側に向けて突出する挿入突条とを有し、
係合溝の屋内側壁は屋外側に突出する係合突部を有し、
樹脂額縁材は、基板外周側面の屋外側端部に位置し且つ額縁材の長手方向に延びる挿入溝を有し、
挿入溝の屋外側壁は屋内側に突出する支持突部を有し、挿入溝の屋内側壁は挿入突条よりも長い係合突条であり、係合突条は回転防止突条と係止突部とを屋内側面に有し、
回転防止突条は、係合溝の屋内側壁の上端部に対向するものであり、
係止突部は、内周側から弾性的に係合突部を乗り越えて係合溝内に嵌り込むものであり、
係合突条の先端部が係合溝の屋外側壁に当接し、
挿入突条の屋外側面が挿入溝の支持突部に当接し、且つ、挿入突条の先端部が挿入溝の溝底及び屋内側壁に当接していることを特徴とするサッシ枠材。
【発明の詳細な説明】
【技術分野】
【０００１】
本発明は、金属製枠材と樹脂額縁材を備えたサッシ枠材に関する。
【背景技術】
【０００２】
サッシ枠材として、金属製枠材の意匠性向上、あるいは結露防止等を図る目的で屋内側に樹脂額縁材を設けることがある。
例えば特開平２−６６２８７号公報には、枠の室内側に溝を設けて、額縁の嵌入片を溝へ挿入する技術を開示する。
しかしながら、この方法は額縁を枠に固定するためには別部品としてスペーサーを必要とするだけでなく、スペーサーの取付作業に大きな力が必要である。
特開平７−２６９２３０号公報にはサッシ枠に額縁又は膳板を固定するに際して、サッシ枠に支持材を取り付けて、支持材の屋外側支持部に額縁又は膳板の裏面を支持させつつ係合固定する技術を開示する。
しかし、額縁を取り付けるためには、サッシ枠に支持材をビス止めしなければならず、額縁を支持材に取り付けるのに大きな力が必要である。
さらには額縁と支持板との係合は弱く開口部側に簡単に回転し、ガタツキが生じやすいという問題がある。
特開２００１−７３６３７号公報には窓枠に額縁受材を取り付け、その額縁受材の屈曲板部に額縁を係合する技術を開示する。
しかし、額縁を取り付けるには額縁受材を窓枠等にビス等で取り付ける必要があるだけでなく、額縁受材の支持板に額縁を挿入するのに大きな力がいるという問題がある。
【０００３】
【特許文献１】特開平２−６６２８７号公報
【特許文献２】特開平７−２６９２３０号公報
【特許文献３】特開２００１−７３６３７号公報
【発明の開示】
【発明が解決しようとする課題】
【０００４】
本発明は上記技術的課題に鑑みて、額縁材を金属製枠材に軽い力で簡単に取り付け出来、且つ、取り付け状態においてガタツキの生じないサッシ枠材を提供することを目的とする。
【課題を解決するための手段】
【０００５】
本発明に係るサッシ枠材は、金属製枠材と、金属製枠材の屋内側に配置する樹脂額縁材とを備え、金属製枠材は、基板内周側面の屋内側端部に位置し且つ枠材の長手方向に延びる係合溝と、基板から内周側に向けて突出する挿入突条とを有し、係合溝の屋内側壁は屋外側に突出する係合突部を有し、樹脂額縁材は、基板外周側面の屋外側端部に位置し且つ額縁材の長手方向に延びる挿入溝を有し、挿入溝の屋外側壁は屋内側に突出する支持突部を有し、挿入溝の屋内側壁は挿入突条よりも長い係合突条であり、係合突条は回転防止突条と係止突部とを屋内側面に有し、回転防止突条は、係合溝の屋内側壁の上端部に対向するものであり、係止突部は、内周側から弾性的に係合突部を乗り越えて係合溝内に嵌り込むものであり、係合突条の先端部が係合溝の屋外側壁に当接し、挿入突条の屋外側面が挿入溝の支持突部に当接し、且つ、挿入突条の先端部が挿入溝の溝底及び屋内側壁に当接していることを特徴とする。
【０００６】
本発明におけるサッシ枠材は、上枠材、下枠材、右枠材、左枠材からなる方形の金属製枠材の屋内側に、それぞれ樹脂額縁材を嵌合により連結させる場合や、下枠のみに連結取り付けることもできる。
ここで屋内側端部とは基板の屋内側端よりにとの意味であって、必ずしも末端を意味するものではない。
また、係合突条の形成位置は、挿入溝へ金属製枠材の挿入突条を挿入すると、金属製枠材の係合溝へ係合突条が入る位置に設ける。
【０００７】
長尺の樹脂額縁材を金属製枠材に軽い力で取り付けるために、この樹脂額縁材の当接支持手段として複数の当接用突部を形成している。
樹脂額縁材側には、挿入溝の屋外側面から屋内側方向へ突出させることで挿入突条の屋外側面に当接させる支持突部と、係合突条の屋外側面から突出させることで、金属製枠材の係合溝の屋外側壁に当接させる係合突部を形成している。
また、金属製枠材の挿入突条の先端部が挿入溝の溝底及び屋内側壁に当接する構造としては、挿入溝屋内側面と挿入溝底の境界のコーナー部へ向けて延在するように突設させて、その先端部の断面形状をコーナー部断面形状と相似状としてコーナー部へ先端を密着させるように当接させることで、先端部を挿入溝屋内側面及び挿入溝底へ当接させる方法や、挿入突条の屋内側面から屋内側方向へ突出して挿入溝の屋内側面へ当接する突出部を設け、挿入突条先端を挿入溝底へ当接させる形状が例として考えられる。
この突部（突出部）による複数点支持を行うことで樹脂額縁材の取り付けが容易でかつガタツキを防止する。
そして、樹脂額縁材の基板部分への樹脂額縁材の長手方向を回転軸とする外周側向きの回転負荷に対しては、その回転を規制するように、屋内側方向へ突出する回転防止突条を設けてあるので、回転負荷が加わった場合には、金属製枠材の屋内側壁の上端部に、ストッパー（規制部）状にこの回転防止突条が突き当たるように作用する。
【発明の効果】
【０００８】
本発明に係るサッシ枠材においては、樹脂額縁材と金属製枠材が突部で線接触になっているので、長尺な金属製枠材へ長尺の樹脂額縁材を取り付ける作業が軽い力で行え、樹脂額縁材の係止突部が金属製枠材の係合突部に係合するため金属製枠材と樹脂額縁材とが外れ難い。
取り付け作業が簡単でありながら、複数箇所にて当接支持することによりガタツキの発生を防止し、樹脂額縁材を外周方向へ回転させる負荷に対する強度を充分に備えている。
【発明を実施するための最良の形態】
【０００９】
図３に本発明に係るサッシ枠材を適用した窓枠の縦断面図を示し、図４は横断面図を示す。
金属製の上枠材２０ａ、下枠材２０ｂ、右枠材２０ｃ、左枠材２０ｄを方形に組み合わせ、その屋内側にそれぞれの金属製枠材に対して樹脂額縁材３０ａ、３０ｂ、３０ｃ、３０ｄを配置している。
それぞれのサッシ枠材１０ａ、１０ｂ、１０ｃ、１０ｄにおいて、樹脂額縁材３０ａ、３０ｂ、３０ｃ、３０ｄを金属製枠材２０ａ、２０ｂ、２０ｃ、２０ｄの内周側に外周側を嵌め込むように取り付ける。
樹脂額縁材の金属製枠材への係合による取り付け方法は後述する。
図１に本発明に係るサッシ枠材の断面説明図で、図３における下枠材２０ｂと樹脂額縁材３０ｂとの嵌合部分Ａ付近の拡大図を示す。
図３、図４における金属製枠材２０ａ、２０ｂ、２０ｃ、２０ｄと樹脂額縁材３０ａ、３０ｂ、３０ｃ、３０ｄの係合のための形状は共通していることから、下枠材（金属製枠材）２０ｂと樹脂額縁材３０ｂとの係合形状を例に図１を用いて説明する。
金属製枠材２０ｂは、基板２１の内周側面２１ａの屋内側端部を外周側に凹ませて、長手方向に延びる係合溝２３を形成している。
そして基板２１から係合溝２３の屋外側壁２３ａを内周側に延ばすように突出させて挿入突条２２を形成する。
また、係合溝２３の屋内側面２３ｂは係合溝底２３ｃから内周側に向けて突出する屋内側端部突条２４により形成する。
挿入突条２２は屋内側面２２ａが鈍角を形成するように、屋内側方向へ断面への字状に曲げた折れ部２２ｂを形成している。
挿入突条の先端部２２ｄは樹脂額縁材３０ｂの挿入溝３４の底３４ｅと屋内側面３４ｄの境界の、屋内側のコーナー部３４ｆへ、曲面状のコーナー形状に密着するように先端を当接することで、挿入溝底３４ｅと屋内側面３４ｄに同時に当接している。
また、係合溝の屋内側壁２３ｂには、屋外側方向に向けて突出する係合突部２３ｄを設けて、樹脂額縁材３０ｂの係合突条３２の屋内側面３２ｃに当接させている。
これらの枠材の突出部分は枠材の長手方向に条状に設けている。
【００１０】
図１に示すように樹脂額縁材３０ｂは、基板３１の外周側面３１ａの屋外側端部に屋外側突条３３と、その屋外側突条３３に間隔をおいた屋内側に係合突条３２とを有している。
この樹脂額縁材の突出部分は樹脂額縁材の長手方向に条状に設けている。
係合突条３２は屋外側突条３３より長く設定している。
また、内周側は軟質樹脂層３１ｂを設けた二層構造とし、基板外周側面３１ａと挿入溝底３４ｅにはノッチングを設けている。
この屋外側突条３３と係合突条３２とはその間に挿入溝３４を形成している。
挿入溝３４の屋外側面３４ａを形成している屋外側突条３３の先端付近は軟質樹脂により屋内側方向に突出し、小突部３４ｃを設けた支持突部３４ｂを設けて金属製枠材２０ｂの挿入突条２２の屋外側面２２ｃに当接させている。
また、挿入溝３４の外位置であり、係合溝の内位置である係合突条の屋外側面３２ａには、係合突条３２の先端部分に屋外側方向に向けて突出する突部３２ｂを設けて、係合溝２３の屋外側壁２３ａへ当接させている。
係合突条３２の屋内側面３２ｃの係合溝２３内位置には、係合溝の係合突部２３ｄの外周側に係ることで、係合突条３２を係合溝２３へ係合させるための係止突部３２ｅを断面略鈎状（返し状）に形成している。
係合突条３２の先端３２ｆから、係合突条の屋内側面の係止突部３２ｅの頂部までは傾斜面３２ｄを形成している。
そして係合突条３２の屋内側面３２ｃには、係合溝２３の開口部付近の外位置に回転防止突条３２ｈを屋内側方向に突設させている。
【００１１】
図２に樹脂額縁材の金属製枠材への取り付け手順を示す。
樹脂額縁材３０ｂは図２（イ）に示すように係合突条３２を外周側に向け、金属製枠材２０ｂの内周側に開口した係合溝２３に、まず係合突条３２の先端３２ｆを差し入れる。
そして、図２（ロ）に示すように係合突条３２の突部３２ｂを係合溝２３の屋外側壁２３ａに摺接させつつ挿入すると、係合突条３２の屋内側の傾斜面３２ｄが係合溝２３内において、屋内側端部突条２４の係合突部２３ｄに当たる。
そして、係合突条３２、あるいは屋内側端部突条２４を弾性変形させつつ係合突条３２を係合溝２３へ挿し込む。
すると、図３（ハ）に示すように係合突条３２の係止突部３２ｅが係合溝の係合突部２３ｄを乗り越えて係合溝２３内側へ入り、係合突部２３ｄが係止突部３２ｅを係合した状態となり、これにより係合溝２３に係合突条３２をスナップ係止する。
そしてこの係合溝２３への係合突条３２の挿入時に、挿入溝３４へ挿入突条２２が挿入する。
【００１２】
図２（ニ）の挿入突条の先端部２２ｄが挿入溝の屋内側面３４ｄに当接しながら挿入溝に嵌合完了した状態では、係合突条３２の先端の屋外側面の突部３２ｂが係合溝２３の屋外側壁２３ａに当接しつつ、屋内側面３２ｃには金属製枠材２０ｂの係合溝屋内側面２３ｂの係止突部３２ｅが当接する。
加えて、屋外側突条３３の屋内側面である挿入溝の屋外側支持突部３４ｂ（小突部３４ｃ）が挿入突条２２の屋外側面２２ｃに当接し、挿入突条２２の先端部２２ｄが挿入溝３４のコーナー部３４ｆに密着するように当接することで、屋内側面３４ｄに当接しながら挿入溝底３４ｅに当接する。
これにより樹脂額縁材３０ｂは、挿入溝３４では支持突部３４ｂと底３４ｅと屋内側面３４ｄの３箇所を金属製枠材２０ｂが支持し、係合溝２３では突部３２ｂと屋内側面３２ｃの２箇所を金属製枠材２０ｂが支持するためガタツキが生じない。
加えて樹脂額縁材３０ｂの基板３１を金属製枠材２０ｂの屋内側面２５方向に回転させようとする図２（ニ）に矢印で示す回転負荷に対しては、回転防止突条３２ｈが金属製枠材２０ｂの屋内側端部突条２４の先端２４ａに突き当たり規制するため、樹脂額縁材３０ｂが金属製枠材２０ｂに対してズレることを防止する。
【００１３】
図５に樹脂額縁材と金属製枠材の他の係合形状の実施例を示す。
サッシ枠材１０ｅにおいて、挿入突条４２は屋内側面４２ａから屋内側方向へ突出して挿入溝５４の屋内側面５４ｃへ当接させる突出部４２ｂを設け、挿入突条４２の先端部４２ｄも挿入溝底５４ｄへ当接させている。
これにより、樹脂額縁材５０は挿入溝５４では突部５４ｂと底５４ｄと屋内側面５４ｃの３箇所を金属製枠材４０が支持し、係合溝４３では突部５２ｂと屋内側面５２ｃの２箇所を金属製枠材４０が支持するためガタツキが生じない。
【図面の簡単な説明】
【００１４】
【図１】本発明に係るサッシ枠材の断面説明図を示す。
【図２】金属製枠材への樹脂額縁材の取り付け手順の説明図を示す。
【図３】サッシ枠材を適用した窓の縦断面図を示す。
【図４】サッシ枠材を適用した窓の横断面図を示す。
【図５】サッシ枠材の他の実施例の断面説明図を示す。
【符号の説明】
【００１５】
１０ａ、１０ｂ  サッシ枠材
２０ａ  上枠材（金属製枠材）
２０ｂ  下枠材（金属製枠材）
２１    金属製枠材の基板
２１ａ  基板の内周側面
２２    挿入突条
２２ａ  挿入突条の屋内側面
２２ｂ  挿入突条の折れ部
２２ｃ  挿入突条の屋外側面
２２ｄ  挿入突条の先端部
２３    係合溝
２３ａ  係合溝の屋外側壁
２３ｂ  係合溝の屋内側壁
２３ｃ  係合溝の底
２３ｄ  係合溝の係合突部
２４    金属製枠材の屋内側端部突条
２４ａ  金属製枠材の屋内側端部突条の先端（回転防止突条当接部、金属製枠材の屋内側端部）
３０ａ、３０ｂ、３０ｃ、３０ｄ    樹脂額縁材
３１    樹脂額縁材の基板
３１ａ  樹脂額縁材の基板外周側面
３２    係合突条
３２ａ  係合突条の屋外側面
３２ｂ  係合突条の屋外側面の突部
３２ｃ  係合突条の屋内側面
３２ｄ  係合突条の屋内側面の傾斜面
３２ｅ  係合突条の屋内側面の係止突部
３２ｆ  係合突条の先端
３２ｇ  係合突条の折れ部
３２ｈ  回転防止突条
３３    屋外側突条
３４    挿入溝
３４ａ  挿入溝の屋外側面
３４ｂ  挿入溝の屋外側面の支持突部
３４ｃ  挿入溝の屋外側面の支持突部の小突部
３４ｄ  挿入溝の屋内側面
３４ｅ  挿入溝の底
【図１】
2006188894.tif 000003
【図２】
2006188894.tif 000004
【図３】
2006188894.tif 000005
【図４】
2006188894.tif 000006
【図５】
2006188894.tif 000007